(57)【特許請求の範囲】
【請求項１】
交流電源と上記交流電源から供給される電力を直流に変換する直流電源回路との間に接続される電圧降下回路と、
上記電圧降下回路と並列に電気接続される電源検出回路と、
上記交流電源から電力が供給されているか否かを判定する判定回路とを有し、
上記電圧降下回路は、
上記直流電源回路に対して直列に電気接続された第一のダイオードと、
上記直流電源回路と第一のダイオードとが直列に電気接続した直列回路に対して並列に、上記第一のダイオードと逆向きに電気接続された第二のダイオードと、
上記直列回路と上記第二のダイオードとが並列に電気接続した並列回路に対して直列に電気接続された減流コンデンサとを有し、
上記並列回路と上記減流コンデンサとが直列に電気接続した第二の直列回路が上記交流電源に接続され、
上記電源検出回路は、
逆極性に並列に電気接続した２つの発光ダイオードと、上記２つの発光ダイオードが発した光を受光するフォトトランジスタとを有するフォトカプラと、
上記２つの発光ダイオードが並列に電気接続した第二の並列回路に対して直列に電気接続された抵抗及びコンデンサとを有し、
上記第二の並列回路と上記抵抗と上記コンデンサとが直列に電気接続した第三の直列回路が上記交流電源に接続され、
上記判定回路は、上記フォトトランジスタがオフの状態が所定の時間以上継続した場合に、上記交流電源から上記交流電源から電力が供給されていないと判定する
ことを特徴とする制御回路。
【請求項２】
上記第三の直列回路は、
上記第二の並列回路と上記抵抗と上記コンデンサとに対して直列に、互いに逆極性に電気接続された２つの定電圧ダイオードを有する
ことを特徴とする請求項１に記載の制御回路。
【請求項３】
請求項１または請求項２に記載の制御回路と、
上記交流電源から供給される電力を放電灯を点灯する電力に変換する交流電源回路とを有し、
上記制御回路は、更に、上記判定回路の判定結果に基づいて上記交流電源回路を制御する点灯制御回路を有する
ことを特徴とする放電灯点灯装置。
【請求項４】
請求項３に記載の放電灯点灯装置と、
上記放電灯を着脱自在に電気接続し、上記放電灯点灯装置が生成した交流電圧を上記放電灯に印加して点灯する放電灯接続部とを有することを特徴とする照明器具。
【請求項５】
請求項１または請求項２に記載の制御回路と、
上記交流電源から供給される電力を発光ダイオードを点灯する電力に変換する発光ダイオード点灯回路とを有し、
上記制御回路は、更に、上記判定回路の判定結果に基づいて上記発光ダイオード点灯回路を制御する点灯制御回路を有する
ことを特徴とする照明器具。
【発明の詳細な説明】
【技術分野】
【０００１】
この発明は、商用電源などの交流電源から交流電圧を入力して動作する放電灯点灯装置などの回路において、交流電圧の有無を判定して、回路を制御する制御回路に関する。
【背景技術】
【０００２】
交流電源の通電及び停電を検出し、検出結果に基づいて、回路を制御する制御回路がある。
【特許文献１】特開２００３−２４９３８２号公報
【特許文献２】特開平３−２６９９９６号公報
【特許文献３】特開平７−５７８８７号公報
【発明の開示】
【発明が解決しようとする課題】
【０００３】
回路の入力段にコンデンサがあると、交流電源が停電などにより切断した場合でも、コンデンサに充電された電圧が残る場合がある。
この発明は、例えば、上記のような課題を解決するためになされたものであり、回路が交流電源から交流電圧を入力しているか否かを速やかに正しく判定することを目的とする。
【課題を解決するための手段】
【０００４】
この発明にかかる制御回路は、
抵抗と、コンデンサと、上記抵抗を流れる電流に基づいて検出電圧を生成する電流検出回路とを有し、上記抵抗と上記コンデンサとが直列に電気接続している電源検出回路と、
交流電源から交流電圧を入力して動作する負荷回路と、
上記電源検出回路が生成した検出電圧に基づいて、上記負荷回路が上記交流電源から上記交流電圧を入力しているか否かを判定する判定回路とを有し、
上記負荷回路と上記電源検出回路とが並列に電気接続していることを特徴とする。
【発明の効果】
【０００５】
この発明にかかる制御回路によれば、交流電源からの交流電圧が入力されなくなったとき、負荷回路が有するコンデンサに電荷が残るなどして負荷回路の入力端子の電圧が０にならない場合であっても、交流電源から交流電圧が入力されなくなったことを、速やかに検出することができるという効果を奏する。
【発明を実施するための最良の形態】
【０００６】
実施の形態１．
実施の形態１について、図１〜図４を用いて説明する。
【０００７】
図１は、この実施の形態における制御回路１００の大まかな構成を示すブロック構成図である。
制御回路１００は、負荷回路２００、電源検出回路１１０、判定回路１３１を有する。
【０００８】
負荷回路２００は、商用電源などの交流電源ＡＣから交流電圧を入力し、入力した交流電圧により動作する回路である。負荷回路２００は、二つの電圧入力端子２０１，２０２を有する。負荷回路２００は、二つの電圧入力端子２０１，２０２の間の電位差を、交流電圧として入力する。
【０００９】
電源検出回路１１０（電源同期回路）は、負荷回路２００と並列に電気接続している。すなわち、電源検出回路１１０の二つの入力端子のうち、一方は電圧入力端子２０１に、他方は電圧入力端子２０２に電気接続している。電源検出回路１１０は、抵抗Ｒ１１、コンデンサＣ１２、電流検出回路１２０を有する。抵抗Ｒ１１と、コンデンサＣ１２と、電流検出回路１２０は、直列に電気接続している。電流検出回路１２０は、抵抗Ｒ１１を流れる電流に基づいて、検出電圧を生成する。
【００１０】
判定回路１３１は、電源検出回路１１０の電流検出回路１２０が生成した検出電圧に基づいて、負荷回路２００が交流電圧を入力しているか否かを判定する。
負荷回路２００が交流電圧を入力しない場合とは、例えば、電源スイッチＳＷをオフにした場合や、停電になった場合などである。
【００１１】
制御回路１００は、判定回路１３１の判定結果に基づいて、負荷回路２００の動作を制御する。例えば、制御回路１００は、電源スイッチＳＷのオンオフ操作に基づいて、負荷回路２００の消費電力を切り替えたり、瞬停（瞬時停電）やサグ（瞬時電圧低下）を検出して、負荷回路２００の正常動作を維持したり、停電を検出して、非常用電源に切り替えて負荷回路２００の動作を継続させたりする。
【００１２】
図２は、この実施の形態における制御回路１００の一部の回路構成を示す電気回路図である。
【００１３】
負荷回路２００は、電圧降下回路２１０、直流電源回路２３０、回路２２０を有する。
回路２２０は、直流電圧を電源として動作する回路である。
直流電源回路２３０は、交流電圧を入力して、回路２２０を動作させる直流電圧を生成する回路である。
電圧降下回路２１０は、負荷回路２００が入力する交流電圧の電圧を降下（減流）させて、直流電源回路２３０における電力損失を抑える回路である。電圧降下回路２１０は、コンデンサＣ１３（減流素子）、ダイオードＤ１４（半波整流素子）、ダイオードＤ１５（放電素子）を有する。
コンデンサＣ１３の二つの端子のうち一の端子は、電圧入力端子２０１に電気接続している。
コンデンサＣ１３の二つの端子のうち他の端子と、ダイオードＤ１４のアノード端子と、ダイオードＤ１５のカソード端子とは、互いに電気接続している。
ダイオードＤ１４のカソード端子は、直流電源回路２３０の入力端子に電気接続している。
ダイオードＤ１５のアノード端子は、グランド配線ＧＮＤを介して、電圧入力端子２０２に電気接続している。
【００１４】
電圧入力端子２０１の電位が高くなり、負荷回路２００に電圧入力端子２０１から電流が流入すると、流入した電流によりコンデンサＣ１３が充電される。流入した電流は、ダイオードＤ１４を介して、直流電源回路２３０に供給される。
また、電圧入力端子２０１の電位が低くなり、負荷回路２００から電圧入力端子２０１へ電流が流出すると、流出した電流によりコンデンサＣ１３が放電される。流出した電流は、ダイオードＤ１５を介して、電圧入力端子２０２から供給される。
このように、コンデンサＣ１３は、入力する交流電圧の１サイクルごとに充放電を繰り返す。また、コンデンサＣ１３に充電された電圧により、直流電源回路２３０に入力される電圧が下がるので、直流電源回路２３０における電力損失を抑えることができる。
【００１５】
電流検出回路１２０は、フォトカプラＰＣ、抵抗Ｒ２１、コンデンサＣ２２を有する。
フォトカプラＰＣ（スイッチ素子、双方向フォトカプラ）は、二つの発光ダイオードと、フォトトランジスタとを有する。二つの発光ダイオードは、フォトカプラＰＣの二つの入力端子間に、逆極性に並列接続している。フォトトランジスタは、フォトカプラＰＣの陽極側出力端子にコレクタ端子を、陰極側出力端子にエミッタ端子を電気接続していて、二つの発光ダイオードが発光した光を受光してオンオフする。
フォトカプラＰＣの二つの入力端子は、抵抗Ｒ１１及びコンデンサＣ１２と直列に電気接続していて、抵抗Ｒ１１及びコンデンサＣ１２を流れる電流を入力する。
抵抗Ｒ２１の二つの端子のうち一方の端子は、直流電圧配線ＶＣＣに電気接続している。直流電圧配線ＶＣＣは、例えば、直流電源回路２３０などの直流電源に電気接続している。
抵抗Ｒ２１の二つの端子のうち他方の端子と、フォトカプラＰＣの陽極側出力端子と、コンデンサＣ２２の二つの端子のうち一方の端子とは、互いに電気接続している。
また、フォトカプラＰＣの陰極側出力端子と、コンデンサＣ２２の二つの端子のうち他方の端子とは、互いに電気接続している。
電流検出回路１２０は、コンデンサＣ２２の両端電圧を、検出電圧ｖ２として出力する。
【００１６】
フォトカプラＰＣの入力電流の絶対値が、フォトトランジスタがオンになる値より小さい場合、コンデンサＣ２２は、抵抗Ｒ２１を介して直流電圧配線ＶＣＣから供給される電流により充電され、電流検出回路１２０は、直流電圧配線ＶＣＣの電位とほぼ等しい検出電圧ｖ２を出力する。
フォトカプラＰＣの入力電流の絶対値が、フォトトランジスタがオンになる値より大きい場合、コンデンサＣ２２は、フォトトランジスタを介して放電し、電流検出回路１２０は、ほぼ０の検出電圧ｖ２を出力する。
【００１７】
図３は、この実施の形態における制御回路１００の各部の電圧及び電流を示す波形図である。
横軸は時刻、縦軸は電圧または電流を表わす。電圧ｖＩＮ（太線）は、制御回路１００が入力する交流電圧である。電圧ｖＣ（太線）は、コンデンサＣ１２の両端電圧である。電圧ｖ１（細線）は、電圧降下回路２１０のコンデンサＣ１３の両端電圧である。電流ｉＲは、抵抗Ｒ１１を流れる電流である。電圧ｖ２は、電流検出回路１２０が出力する検出電圧である。
【００１８】
電圧ｖＩＮが上昇すると、それに追随してコンデンサＣ１２及びコンデンサＣ１３が充電され、電圧ｖＣ及び電圧ｖ１が上昇する。また、電圧ｖＩＮが下降すると、それに追随してコンデンサＣ１２及びコンデンサＣ１３が放電し、電圧ｖＣ及び電圧ｖ１が下降する。
電源検出回路１１０は、ＣＲ直列回路なので、抵抗Ｒ１１を流れる電流ｉＲは、電圧ｖＩＮよりも位相の進んだ電流となる。電圧ｖ２は、電流ｉＲがゼロクロスする付近で高電位となり、それ以外では低電位となる。
したがって、負荷回路２００が交流電圧を入力している場合、電流検出回路１２０が生成する検出電圧ｖ２は、負荷回路２００が入力している交流電圧の倍の周波数の矩形波となる。すなわち、電流検出回路１２０は、負荷回路２００が入力する交流電圧と同期した信号を生成する。
【００１９】
時刻ｔ１において、電源スイッチＳＷが切られるなどして、制御回路１００が交流電圧を入力しなくなったとする。
【００２０】
電源が切れても、コンデンサＣ１３はすぐには放電しないので、電圧ｖ１は０にならない。電圧ｖＩＮは、電圧ｖ１とほぼ等しくなる。
このため、電圧ｖ１と電圧ｖＣとの差にあたる電圧が抵抗Ｒ１１に印加され、電源スイッチＳＷが切れたあとも、電流ｉＲが流れる。
電流ｉＲは、コンデンサＣ１３を放電し、コンデンサＣ１２を充電する。電圧ｖ１と電圧ｖＣとが等しくなると、電流ｉＲが流れなくなる。
電流ｉＲが流れなくなるまでにかかる時間は、抵抗Ｒ１１の抵抗値と、コンデンサＣ１２及びコンデンサＣ１３の容量値によって定まる。
【００２１】
電流ｉＲの絶対値が所定の値より小さくなると、電流検出回路１２０が生成する検出電圧ｖ２は高電位になるので、電源が切れてすぐに高電位になる。
したがって、制御回路１００は、電源スイッチＳＷの切断や停電などにより、制御回路１００が交流電圧を入力しなくなると、ほとんど遅れなくすぐにそのことを検出できる。
【００２２】
比較のため、コンデンサＣ１２がない制御回路について考える。
なお、比較例の制御回路は、コンデンサＣ１２がなく、抵抗Ｒ１１と電流検出回路１２０とが直接接続している点を除き、この実施の形態における制御回路１００と同様である。
【００２３】
図４は、比較例の制御回路の各部の電圧及び電流を示す波形図である。
【００２４】
制御回路が交流電圧を入力している場合、コンデンサＣ１２がないので、電流ｉＲは、電圧ｖＩＮとほぼ同位相となる。したがって、検出電圧ｖ２は、パルスの出るタイミングが異なるが、この実施の形態における制御回路１００と同様、入力した交流電圧の倍の周波数の矩形波となる。
【００２５】
しかし、時刻ｔ１において、電源スイッチＳＷが切られるなどして、制御回路が交流電圧を入力しなくなった場合の動作は、大きく異なる。
コンデンサＣ１３に残った電圧により、電流ｉＲが流れ、コンデンサＣ１３を放電する。電流ｉＲは、コンデンサＣ１３が完全に放電するまで流れ続ける。
このため、比較例の制御回路は、制御回路が交流電圧を入力しなくなってもすぐには検出できない。
【００２６】
比較例の制御回路において、電流ｉＲが流れなくなるまでにかかる時間は、抵抗Ｒ１１の抵抗値とコンデンサＣ１３の容量値によって定まる。しかし、抵抗Ｒ１１の抵抗値を小さくすると、電流ｉＲが大きくなるので、電源検出回路における電力消費が増える。また、コンデンサＣ１３の容量値は、直流電源回路２３０が必要とする電流によって定まるので、あまり小さくすることはできない。
【００２７】
これに対し、この実施の形態における制御回路１００は、コンデンサＣ１２の容量値を調整することにより、電流ｉＲが流れなくなるまでにかかる時間を自由に調整できる。コンデンサＣ１２の容量値を小さくすれば、電流ｉＲが流れなくなるまでにかかる時間を短くできるので、制御回路１００が交流電圧を入力しなくなった場合に、ほとんど遅れなく検出することができる。
【００２８】
この実施の形態における制御回路１００は、電源検出回路１１０と、負荷回路２００と、判定回路１３１とを有し、上記電源検出回路１１０は、抵抗Ｒ１１と、コンデンサＣ１２と、上記抵抗Ｒ１１を流れる電流ｉＲに基づいて検出電圧ｖ２を生成する電流検出回路１２０とを有し、上記抵抗Ｒ１１と上記コンデンサＣ１２とが直列に電気接続し、上記負荷回路２００は、交流電源ＡＣから交流電圧を入力して動作し、上記判定回路１３１は、上記電源検出回路１１０が生成した検出電圧ｖ２に基づいて、上記負荷回路２００が上記交流電源ＡＣから上記交流電圧を入力しているか否かを判定し、上記負荷回路２００と上記電源検出回路１１０とが並列に電気接続しているので、交流電源ＡＣからの交流電圧が入力されなくなったとき、負荷回路２００が有するコンデンサに電荷が残るなどして負荷回路２００の入力端子の電圧が０にならない場合であっても、交流電源ＡＣから交流電圧が入力されなくなったことを、速やかに検出することができるという効果を奏する。
【００２９】
この実施の形態における電流検出回路１２０は、上記抵抗Ｒ１１を流れる電流ｉＲが０を含む所定の範囲内である場合に、所定の電位（ほぼＶＣＣ）の検出電圧ｖ２を生成するので、負荷回路２００が交流電圧を入力している場合には、検出電圧ｖ２が、交流電圧の周波数の倍の周波数の矩形波となり、負荷回路２００が交流電圧を入力していない場合には、検出電圧ｖ２がほぼＶＣＣになって、負荷回路２００が交流電圧を入力しているか否かを、判定回路１３１が容易に判定できるという効果を奏する。
【００３０】
この実施の形態における負荷回路２００は、上記交流電圧を入力する二つの電圧入力端子２０１，２０２と、第二のコンデンサＣ１３とを有し、上記二つの電圧入力端子のうちいずれかの電圧入力端子２０１と、上記第二のコンデンサＣ１３の一方の端子とが電気接続しているので、交流電源ＡＣから交流電圧が入力されなくなったとき、コンデンサＣ１３に充電された電圧が残り、電圧入力端子２０１の電位が０にならないが、コンデンサＣ１２に、コンデンサＣ１３に充電された電圧とほぼ等しい電圧が充電されるので、抵抗Ｒ１１を流れる電流ｉＲがほぼ０になり、交流電源ＡＣから交流電圧が入力されなくなったことを、速やかに検出することができるという効果を奏する。
【００３１】
また、電圧降下回路２１０としては、コンデンサＣ１３ではなく、抵抗を用いるものもあるが、抵抗を用いると、抵抗による電力損失が発生する。
この実施の形態における制御回路１００は、コンデンサＣ１３を用いた電圧降下回路２１０を有しているので、消費電力を抑えることができる。
【００３２】
実施の形態２．
実施の形態２について、図５〜図６を用いて説明する。
この実施の形態では、実施の形態１で説明した制御回路１００の応用例について説明する。
【００３３】
図５は、この実施の形態における照明器具８００の外観を示す斜視図である。
照明器具８００は、高輝度白色発光ダイオードなどのＬＥＤを有し、ＬＥＤを発光させることにより対象を照らす照明器具である。
【００３４】
図６は、この実施の形態におけるＬＥＤ点灯装置８１０の一部の回路構成を示す電気回路図である。
なお、実施の形態１で説明した制御回路１００と共通する部分については、同一の符号を付し、ここでは説明を省略する。
【００３５】
照明器具８００は、内部に、ＬＥＤを点灯する点灯装置８１０（発光ダイオード点灯装置、制御回路１００）を有する。点灯装置８１０は、負荷回路２００として、電圧降下回路２１０、直流電源回路２３０、コンデンサＣ２３、発光ダイオード点灯回路２４０、スイッチング素子Ｑ２４を有する。
【００３６】
直流電源回路２３０は、電圧降下回路２１０が降下した電圧を入力して、安定した直流電圧を生成する回路である。直流電源回路２３０は、定電圧ダイオードＺＤ３１、コンデンサＣ３２、抵抗Ｒ３３、定電圧ダイオードＺＤ３４、トランジスタＱ３５を有する。
定電圧ダイオードＺＤ３１、定電圧ダイオードＺＤ３４は、例えば、ツェナーダイオードである。
トランジスタＱ３５は、例えば、ＮＰＮ型バイポーラトランジスタである。
定電圧ダイオードＺＤ３１のカソード端子と、コンデンサＣ３２の二つの端子のうち一方の端子と、抵抗Ｒ３３の二つの端子のうち一方の端子と、トランジスタＱ３５のコレクタ端子とはともに、電圧降下回路２１０の出力端子（ダイオードＤ１４のカソード端子）に電気接続している。
定電圧ダイオードＺＤ３１のアノード端子と、コンデンサＣ３２の二つの端子のうち他方の端子と、定電圧ダイオードＺＤ３４のアノード端子とはともに、グランド配線ＧＮＤに電気接続している。
抵抗Ｒ３３の二つの端子のうち他方の端子と、定電圧ダイオードＺＤ３４のカソード端子と、トランジスタＱ３５のベース端子とは、互いに電気接続している。
トランジスタＱ３５のエミッタ端子は、直流電源回路２３０の出力端子として、コンデンサＣ２３の二つの端子のうち一方の端子に電気接続している。
コンデンサＣ２３の二つの端子のうち他方の端子は、グランド配線ＧＮＤに電気接続している。
【００３７】
コンデンサＣ３２は、電圧降下回路２１０から流入する電流により充電される。
定電圧ダイオードＺＤ３１は、コンデンサＣ３２に充電される電圧が所定の電圧より高くならないようにするための安全回路である。
定電圧ダイオードＺＤ３４は、直流電源回路２３０が生成する直流電圧を定める基準となる電圧を生成する。
定電圧ダイオードＺＤ３４のツェナー電圧と、コンデンサＣ２３に充電された電圧との差が、トランジスタＱ３５のベース−エミッタ間のオン電圧（例えば０．６Ｖ）より高くなると、抵抗Ｒ３３を介してトランジスタＱ３５にベース電流が供給され、トランジスタＱ３５がオンになって、トランジスタＱ３５を介して、コンデンサＣ２３を充電する電流が流れる。これにより、コンデンサＣ２３には、常に、定電圧ダイオードＺＤ３４のツェナー電圧−０．６Ｖの電圧が充電される。
【００３８】
発光ダイオード点灯回路２４０は、ＬＥＤを有し、コンデンサＣ２３に充電された直流電圧をＬＥＤに印加して点灯する。
スイッチング素子Ｑ２４は、例えば、ＮＰＮ型バイポーラトランジスタであり、発光ダイオード点灯回路２４０と直列に電気接続している。スイッチング素子Ｑ２４をオンにすると、コンデンサＣ２３に充電された電圧が、発光ダイオード点灯回路２４０にかかり、発光ダイオード点灯回路２４０がＬＥＤを点灯する。スイッチング素子Ｑ２４をオフにすると、コンデンサＣ２３に充電された直流電圧が、発光ダイオード点灯回路２４０にかからなくなるので、ＬＥＤが消灯する。
【００３９】
直流電圧配線ＶＣＣは、直流電源回路２３０の出力端子（トランジスタＱ３５のエミッタ端子）に電気接続している。
【００４０】
マイクロコンピュータ（以下「マイコン」と呼ぶ。）１３０は、直流電圧配線ＶＣＣに電気接続し、直流電圧配線ＶＣＣを介して、直流電源回路２３０が生成した直流電圧を入力し、入力した直流電圧を電源として動作する。
マイコン１３０は、図示していないＲＯＭなどの記憶装置が記憶したプログラムを実行することにより、様々な機能を実現する。
【００４１】
判定回路１３１は、マイコン１３０がプログラムを実行することにより実現される。なお、判定回路１３１は、アナログ回路・デジタル回路・アナログデジタル混合回路などにより実現されてもよい。
判定回路１３１は、電流検出回路１２０が生成した検出電圧ｖ２を入力する。判定回路１３１は、入力した検出電圧ｖ２が所定の電圧より高いか低いかを判定する。以下の説明では、検出電圧ｖ２が所定の電圧より高い状態を「Ｈ」、検出電圧ｖ２が所定の電圧より低い状態を「Ｌ」と呼ぶ。
判定回路１３１は、「Ｈ」の状態が所定の時間（以下「継続判定閾値時間」と呼ぶ。）以上継続した場合に、点灯装置８１０が交流電圧を入力していないと判定する。
【００４２】
点灯装置８１０が交流電圧を入力している場合、検出電圧ｖ２は、交流電圧の倍の周波数の矩形波となり、周期的に「Ｈ」となる期間が存在する。継続判定閾値時間は、この期間の長さより長く設定する。例えば、継続判定閾値時間は、交流電圧の一周期分を設定する。これにより、判定回路１３１は、点灯装置８１０が交流電圧を入力しているか否かを、正しく判定できる。
【００４３】
なお、判定回路１３１は、「Ｌ」から「Ｈ」になった時刻を測定することにより、点灯装置８１０が交流電圧を入力しているか否かを判定してもよい。
例えば、「Ｌ」から「Ｈ」になった場合、判定回路１３１は、前回「Ｌ」から「Ｈ」になった時刻からの経過時間を算出する。算出した経過時間が、所定の時間（以下、「経過判定閾値時間」と呼ぶ。）と比較して短い場合、判定回路１３１は、継続判定閾値時間の経過を待たずに、点灯装置８１０が交流電圧を入力していないと判定する。なお、経過判定閾値時間は、前もって交流電圧の周波数がわかっている場合、あらかじめ固定値を設定しておく。前もって交流電圧の周波数がわからない場合、最初は、経過判定閾値時間による判定ができないので、判定回路１３１は、継続判定閾値時間内に「Ｈ」から「Ｌ」に戻るか否かを判定し、継続判定閾値時間内に「Ｈ」から「Ｌ」に戻った場合、点灯装置８１０が交流電圧を入力していると判定し、そのときの経過時間（周波数のバラツキを考慮して余裕を持たせた時間を含む。）を、経過判定閾値時間として記憶し、次からは、経過判定閾値時間による判定と、継続判定閾値時間による判定とを、合わせて実施する。
【００４４】
点灯制御回路１３２は、マイコン１３０がプログラムを実行することにより実現される。なお、点灯制御回路１３２は、アナログ回路・デジタル回路・アナログデジタル混合回路などにより実現されてもよい。
点灯制御回路１３２は、判定回路１３１が判定した判定結果に基づいて、ＬＥＤを点灯するか消灯するかを判断し、判断結果に基づいて、スイッチング素子Ｑ２４をオンあるいはオフする信号を生成して、出力する。
【００４５】
この実施の形態における点灯装置８１０（制御回路）は、判定回路１３１が、上記電流検出回路１２０が生成した検出電圧ｖ２に基づいて、上記抵抗Ｒ１１を流れる電流ｉＲが０を含む所定の範囲内である状態（「Ｈ」）が、所定の時間（継続判定閾値時間）以上継続した場合に、上記交流電圧を入力していないと判定するので、交流電圧を入力しているか否かを正しく判定できるという効果を奏する。
【００４６】
この実施の形態における点灯装置８１０（制御回路）は、負荷回路２００が、入力した交流電圧に基づいて、直流電圧を生成する直流電源回路２３０を有し、上記判定回路１３１（マイコン１３０）は、上記直流電源回路２３０が生成した直流電圧を電源として動作するので、交流電圧を入力しているか否かの判定が容易にできるという効果を奏する。
【００４７】
この実施の形態における照明器具８００は、上述した制御回路（点灯装置８１０）を有し、上記負荷回路２００は、入力した交流電圧に基づいて、直流電圧を生成する直流電源回路２３０と、発光ダイオードＬＥＤと、上記直流電源回路２３０が生成した直流電圧を上記発光ダイオードＬＥＤに印加する発光ダイオード点灯回路２４０とを有し、上記制御回路（点灯装置８１０）は、更に、上記判定回路１３１の判定結果に基づいて上記発光ダイオード点灯回路２４０を制御する点灯制御回路１３２を有するので、電源スイッチＳＷの操作や停電などを検出し、検出結果に基づいて、ＬＥＤの点灯消灯などを制御することができるという効果を奏する。
【００４８】
実施の形態３．
実施の形態３について、図７〜図８を用いて説明する。
この実施の形態では、実施の形態１で説明した制御回路１００の別の応用例について説明する。
【００４９】
図７は、この実施の形態における照明器具８００の外観を示す斜視図である。
照明器具８００は、放電灯ＬＡを接続するランプソケット８０１を有し、ランプソケット８０１に接続した放電灯ＬＡを点灯する。
【００５０】
図８は、この実施の形態における点灯装置８２０の一部の回路構成を示す電気回路図である。
なお、実施の形態２で説明した点灯装置８１０と共通する部分については、同一の符号を付し、ここでは説明を省略する。
【００５１】
照明器具８００は、内部に、点灯装置８２０（放電灯点灯装置、制御回路１００）を有する。点灯装置８２０は、負荷回路２００として、電圧降下回路２１０、直流電源回路２３０、コンデンサＣ２３、交流電源回路２５０を有する。
【００５２】
交流電源回路２５０は、ダイオードブリッジＤＢ、力率改善回路２５１、インバータ回路２５２、コイルＬ５３、コンデンサＣ５４、コンデンサＣ５５を有する。
ダイオードブリッジＤＢは、交流電源ＡＣから交流電圧を入力し、入力した交流電圧を全波整流して、脈流電圧を生成する。
力率改善回路２５１は、ダイオードブリッジＤＢが生成した脈流電圧を入力し、入力した脈流電圧を昇圧あるいは降圧して、安定した直流電圧を生成する。力率改善回路２５１は、例えば、昇圧チョッパ回路である。
インバータ回路２５２は、力率改善回路２５１が生成した直流電圧を入力し、入力した直流電圧から、高周波の矩形波電圧を生成する。インバータ回路２５２は、例えば、ハーフブリッジ回路あるいはフルブリッジ回路である。
コイルＬ５３は、放電灯ＬＡを流れる電流を制限するチョークコイルである。
コンデンサＣ５４は、インバータ回路２５２が生成した矩形波電圧から直流成分を除去する結合コンデンサである。
コンデンサＣ５５は、放電灯ＬＡの放電を開始するとき、コイルＬ５３、コンデンサＣ５４とともに共振して、放電灯ＬＡのフィラメント間に、高電圧を発生させ、放電を開始させる。
【００５３】
点灯制御回路１３２は、判定回路１３１の判定結果に基づいて、インバータ回路２５２を制御する制御信号を生成し、出力する。
【００５４】
グランド配線ＧＮＤは、電圧入力端子２０２ではなく、ダイオードブリッジＤＢの二つ出力端子のうちの一つ（陰極側出力端子）に電気接続している。
【００５５】
このような接続になっている場合も、実施の形態１及び実施の形態２と同様、交流電源ＡＣから交流電圧を入力しているか否かを正しく判定できる。
【００５６】
この実施の形態における点灯装置８２０（放電灯点灯装置）は、上述した制御回路１００を有し、上記負荷回路２００は、入力した交流電圧に基づいて、放電灯ＬＡに印加する交流電圧を生成する交流電源回路２５０を有し、上記制御回路１００は、更に、上記判定回路１３１の判定結果に基づいて上記交流電源回路２５０を制御する点灯制御回路１３２を有するので、電源スイッチＳＷの操作や停電などを検出し、検出結果に基づいて、放電灯ＬＡの点灯消灯などを制御することができるという効果を奏する。
【００５７】
この実施の形態における照明器具８００は、上述した放電灯点灯装置（点灯装置８２０）と、上記放電灯ＬＡを着脱自在に電気接続し、上記放電灯点灯装置（点灯装置８２０）が生成した交流電圧を上記放電灯ＬＡに印加して点灯する放電灯接続部（ランプソケット８０１）とを有するので、電源スイッチＳＷの操作や停電などを検出し、検出結果に基づいて、ランプソケット８０１に接続した放電灯ＬＡの点灯消灯などを制御することができるという効果を奏する。
【００５８】
実施の形態４．
実施の形態４について、図９を用いて説明する。
この実施の形態では、実施の形態１で説明した制御回路１００の変形例について説明する。
【００５９】
図９は、この実施の形態における点灯装置８１０の一部の回路構成を示す電気回路図である。
なお、実施の形態２で説明した点灯装置８１０と共通する部分については、同一の符号を付し、ここでは説明を省略する。
【００６０】
電源検出回路１１０は、更に、二つの定電圧ダイオードＺＤ１６，ＺＤ１７を有する。
二つの定電圧ダイオードＺＤ１６，ＺＤ１７（トリガ素子）は、例えば、ツェナーダイオードである。二つの定電圧ダイオードＺＤ１６，ＺＤ１７は、互いに逆極性に直列接続され、抵抗Ｒ１１、コンデンサＣ１２、フォトカプラＰＣ（の入力側）と、直列に電気接続している。
このため、定電圧ダイオードＺＤ１６あるいは定電圧ダイオードＺＤ１７のツェナー電圧を超える電圧が入力されないと、抵抗Ｒ１１には電流ｉＲが流れない。
【００６１】
電源スイッチＳＷは、例えば、ほたるスイッチである。ほたるスイッチは、照明器具などの電源スイッチとして利用されるスイッチであり、スイッチをオフにしたとき、部屋のなかが真っ暗でもスイッチの位置がわかるよう、小さな明かりを点灯する。このため、電源スイッチＳＷをオフにしても、交流電源ＡＣから点灯装置８１０に入力される交流電圧は、０にならず、わずかな電圧が残る。
【００６２】
このような場合において、わずかに残った電圧により、抵抗Ｒ１１に電流ｉＲが流れると、電流検出回路１２０が矩形波の検出電圧ｖ２を生成し、判定回路１３１が判定を誤る可能性がある。
そこで、二つの定電圧ダイオードＺＤ１６，ＺＤ１７により、電源スイッチＳＷがオフの場合に残った電圧では、電流ｉＲが流れないようにする。これにより、判定回路１３１が、電源スイッチＳＷのオフによる電源が遮断されたことを、正しく判定することができる。
【図面の簡単な説明】
【００６３】
【図１】実施の形態１における制御回路１００の大まかな構成を示すブロック構成図。
【図２】実施の形態１における制御回路１００の一部の回路構成を示す電気回路図。
【図３】実施の形態１における制御回路１００の各部の電圧及び電流を示す波形図。
【図４】比較例の制御回路の各部の電圧及び電流を示す波形図。
【図５】実施の形態２における照明器具８００の外観を示す斜視図。
【図６】実施の形態２におけるＬＥＤ点灯装置８１０の一部の回路構成を示す電気回路図。
【図７】実施の形態３における照明器具８００の外観を示す斜視図。
【図８】実施の形態３における点灯装置８２０の一部の回路構成を示す電気回路図。
【図９】実施の形態４における点灯装置８１０の一部の回路構成を示す電気回路図。
【符号の説明】
【００６４】
１００  制御回路、１１０  電源検出回路、１２０  電流検出回路、１３０  マイコン、１３１  判定回路、１３２  点灯制御回路、２００  負荷回路、２０１，２０２  電圧入力端子、２１０  電圧降下回路、２２０  回路、２３０  直流電源回路、２４０  発光ダイオード点灯回路、２５０  交流電源回路、２５１  力率改善回路、２５２  インバータ回路、８００  照明器具、８０１  ランプソケット、８１０，８２０  点灯装置、ＡＣ  交流電源、Ｃ１２，Ｃ１３，Ｃ２２，Ｃ２３，Ｃ３２，Ｃ５４，Ｃ５５  コンデンサ、Ｄ１４，Ｄ１５  ダイオード、ＤＢ  ダイオードブリッジ、ＧＮＤ  グランド配線、Ｌ５３  コイル、ＬＡ  放電灯、ＬＥＤ  発光ダイオード、ＰＣ  フォトカプラ、Ｑ２４  スイッチング素子、Ｑ３５  トランジスタ、Ｒ１１，Ｒ２１，Ｒ３３  抵抗、ＳＷ  電源スイッチ、ｖ２  検出電圧、ＶＣＣ  直流電圧配線、ｖＩＮ  交流電圧、ＺＤ１６，ＺＤ１７，ＺＤ３１，ＺＤ３４  定電圧ダイオード。
【図１】
0005094462.tif 000002
【図２】
0005094462.tif 000003
【図３】
0005094462.tif 000004
【図４】
0005094462.tif 000005
【図５】
0005094462.tif 000006
【図６】
0005094462.tif 000007
【図７】
0005094462.tif 000008
【図８】
0005094462.tif 000009
【図９】
0005094462.tif 000010